(57)【特許請求の範囲】
【請求項１】
被照射面の上方に配置される器具本体と、前記器具本体に設けられる光源と、を備え、前記光源から下方に光を照射して前記被照射面を照明するＬＥＤ照明器具であって、
前記光源として、前記被照射面における前記器具本体の直下を含む第１範囲に光を照射する第１ＬＥＤと、前記第１ＬＥＤの、前記器具本体の長手方向における両側に配置されると共に、前記第１範囲の周囲の第２範囲を照射する第２ＬＥＤと、が設けられ、
前記第２ＬＥＤは、５０７〜５５５ｎｍにピーク波長を含み、
前記第２ＬＥＤの色温度は、８０００〜１２０００Ｋであり、
前記第１ＬＥＤの色温度は、４０００〜５５００Ｋであり、
前記第１ＬＥＤの照射範囲である前記第１範囲は、赤色および黄色が豊富な光が照射される範囲であり、
前記第２ＬＥＤの照射範囲である前記第２範囲は、青色および緑色が豊富な光が照射される範囲であるＬＥＤ照明器具。
【請求項２】
請求項１に記載のＬＥＤ照明器具において、
前記第１ＬＥＤは第１基板に実装され、前記第２ＬＥＤは第２基板に実装され、前記第１基板および前記第２基板が同一の構造部材に取り付けられるＬＥＤ照明器具。
【発明の詳細な説明】
【技術分野】
【０００１】
本発明は、ＬＥＤを光源として防犯灯等に適用されるＬＥＤ照明器具に関する。
【背景技術】
【０００２】
従来より、青色・緑色光が豊富なスペクトル特性の光を歩道に照射し、緑色・赤色光が豊富なスペクトル特性の光を車道に照射するＬＥＤ照明器具が知られている（例えば、特許文献１参照）。
【先行技術文献】
【特許文献】
【０００３】
【特許文献１】特開２００８−９１２３２号公報（図１、請求項１）
【発明の概要】
【発明が解決しようとする課題】
【０００４】
通常、蛍光灯やＬＥＤ等を適用したＬＥＤ照明器具においては、明るい環境（明所視）において明所視輝度を高める設計がなされている。
これは、明所視において、明るさを知覚する錐体を働かせるためであり、明所視輝度を高めることにより、人がより明るく知覚することができる。
【０００５】
しかしながら、夜間の街路空間や道路空間などの所謂薄明視環境下においては、分光視感効率のピーク値が５５５ｎｍである錐体に加えて分光視感効率のピーク値が５０７ｎｍ周辺である桿体が働くために、明所視輝度だけを高めてもその効果は低い。
そこで、特許文献１は、人の網膜に存在する錐体および桿体の両方が薄明視において働くことを考慮して、錐体および桿体のそれぞれに効果が現れるような複数の光源を備えた。
【０００６】
そして、それら光源の内の少なくとも１つが桿体の分光視感効率のピーク波長（暗所視感度のピーク波長）である５０７ｎｍ周辺を含む波長領域となるようにピーク値が４５０〜５５０ｎｍの間となる構成とされる。
そのため、特許文献１は、青色・緑色光が豊富なスペクトル特性の光を歩道に照射し、緑色・赤色光が豊富なスペクトル特性の光を車道に照射することにより、自動車の運転手が歩道上の歩行者等を視認し易くできる。
【０００７】
このように、特許文献１は、ピーク値が４５０〜５５０ｎｍの間となる構成の光源を備えることにより、薄明視における視認性の向上を図っている。
しかし、このようなプルキンエ現象を利用した特許文献１は、照射範囲の全体の光の色温度が低いために、寒々しい雰囲気を作っていた。
【０００８】
本発明は、前述した課題を解決するためになされたものであり、その目的は、照射範囲の全体が寒々しい雰囲気にならないようにできるＬＥＤ照明器具を提供することにある。
【課題を解決するための手段】
【０００９】
本発明に係るＬＥＤ照明器具は、被照射面の上方に配置される器具本体と、前記器具本体に設けられる光源と、を備え、前記光源から下方に光を照射して前記被照射面を照明するＬＥＤ照明器具であって、前記光源として、前記被照射面における前記器具本体の直下を含む第１範囲に光を照射する第１ＬＥＤと、前記第１ＬＥＤの、前記器具本体の長手方向における両側に配置されると共に、前記第１範囲の周囲の第２範囲を照射する第２ＬＥＤと、が設けられ、前記第２ＬＥＤは、５０７〜５５５ｎｍにピーク波長を含み、前記第２ＬＥＤの色温度は、８０００〜１２０００Ｋであり、前記第１ＬＥＤの色温度は、４０００〜５５００Ｋであり、前記第１ＬＥＤの照射範囲である前記第１範囲は、赤色および黄色が豊富な光が照射される範囲であり、前記第２ＬＥＤの照射範囲である前記第２範囲は、青色および緑色が豊富な光が照射される範囲である。
【００１１】
本発明に係るＬＥＤ照明器具は、前記第１ＬＥＤは第１基板に実装され、前記第２ＬＥＤは第２基板に実装され、前記第１基板および前記第２基板が同一の構造部材に取り付けられる。
【発明の効果】
【００１２】
本発明に係るＬＥＤ照明器具によれば、照射範囲の全体が寒々しい雰囲気にならないようにできるという効果を奏する。
【図面の簡単な説明】
【００１３】
【図１】本発明に係る第１実施形態のＬＥＤ照明器具の垂直断面図
【図２】本発明に係る第２実施形態のＬＥＤ照明器具の垂直断面図
【発明を実施するための形態】
【００１４】
以下、本発明に係る複数の実施形態のＬＥＤ照明器具について図面を参照して説明する。
（第１実施形態）
図１に示すように、本発明に係る第１実施形態のＬＥＤ照明器具１０は、屋外の防犯灯に適用され、器具本体１１と、器具本体１１に取り付けられる固定部材１２とを備える。
ＬＥＤ照明器具１０は、固定部材１２に取り付けられる第１ＬＥＤユニット１３，一対の第２ＬＥＤユニット１４と、レンズ１５とを備える。
なお、ＬＥＤ照明器具１０は、屋外の防犯灯に代えて、ホール等の天井面に設置されてもよい。
【００１５】
器具本体１１は、防水処理が施されており、基部が地中に埋設された支柱１６の上端部に固定されている。器具本体１１には、不図示の電源ユニットが収容される。電源ユニットは、外部の電源回路に電気的に接続される。
固定部材１２は、平面の板形状に形成されて、器具本体１１に収容される。
【００１６】
単一の固定部材１２には、その下面の中央部に第１ＬＥＤユニット１３が取り付けられ、その下面の両側部に一対の第２ＬＥＤユニット１４が取り付けられる。
固定部材１２には、３枚のＬＥＤ基板１７が取り付けられる。
第１ＬＥＤユニット１３は、中央部のＬＥＤ基板１７に第１ＬＥＤ１８が実装される。
【００１７】
図１中の左方側の第２ＬＥＤユニット１４は、図１中左方側のＬＥＤ基板１７に第２ＬＥＤ１９が実装される。
図１中の右方側の第２ＬＥＤユニット１４は、図１中右方側のＬＥＤ基板１７に第２ＬＥＤ１９が実装される。
従って、第１ＬＥＤユニット１３および一対の第２ＬＥＤユニット１４が、単一の固定部材１２に一括的に取り付けられるために、取付時の作業性を良好にできる。
【００１８】
レンズ１５は、例えば乳白色に着色された樹脂部材であって、第１ＬＥＤユニット１３および一対の第２ＬＥＤユニット１４を覆うように固定部材１２の下方側に取り付けられる。
レンズ１５には、第１ＬＥＤユニット１３に対応した入射面２０および出射面２１が形成される。
【００１９】
レンズ１５には、図１中の左方側の第２ＬＥＤユニット１４に対応した入射面２２および出射面２３と、図１中の右方側の第２ＬＥＤユニット１４に対応した入射面２４および出射面２５とが、中央部の入射面２０および出射面２１に一体に形成される。
レンズ１５は、第１ＬＥＤユニット１３の第１ＬＥＤ１８および一対の第２ＬＥＤユニット１４の第２ＬＥＤ１９の配光を制御する。
なお、第１ＬＥＤユニット１３の第１ＬＥＤ１８および一対の第２ＬＥＤユニット１４の第２ＬＥＤ１９の配光は、固定部材１２の取付位置を変更させることによっても制御できる。
【００２０】
ＬＥＤ照明器具１０は、プルキンエ現象を適用する。
通常、人間は、色を網膜の視細胞によって感知する。具体的に、網膜で働く細胞が、暗順応が進むにつれて錐状体から桿状体に代わるために起こる。
そのため、周囲が明るい環境においては、相対的に色温度の低い光による照明を行う方が相対的に色温度の高い光による照明を行う場合に比べて、視認性が高くなることが知られている。
【００２１】
また、周囲が暗い環境においては、相対的に色温度の高い光による照明を行う方が相対的に色温度の低い光による照明を行う場合に比べて、視認性が高くなることが知られている。
これらがプルキンエ現象によるもので、周囲が明るい環境では、相対的に色温度の低い光が明るく見え、相対的に色温度の高い光が暗く見える。
また、周囲が暗い環境では、プルキンエ現象によって、相対的に色温度の低い光が暗く見え、相対的に色温度の高い光が明るく見える。
【００２２】
すなわち、直下付近を照射する第１ＬＥＤユニット１３の第１ＬＥＤ１８が、４０００〜５５００Ｋの色温度を有して、５０７ｎｍよりも高い波長を有する。
そして、直下よりも外周側を照射する第２ＬＥＤユニット１４の第２ＬＥＤ１９が、プルキンエ現象の効果を得るように、８０００〜１２０００Ｋの色温度を有し、５０７〜５５５ｎｍにピーク波長を含む。
【００２３】
このようなＬＥＤ照明器具１０は、外部の電源回路から電源ユニットに給電されることにより、ＬＥＤ基板１７に有する不図示のプリント回路に電流が流れて、第１ＬＥＤ１８および第２ＬＥＤ１９が発光する。
このとき、中央部の第１ＬＥＤ１８が４０００〜５５００Ｋの色温度を有して第２ＬＥＤ１９のピーク波長よりも高い波長を有するために、中央部の真下の範囲θ１に、赤色および黄色が豊富な光が照射される。
【００２４】
同時に、両側部の第２ＬＥＤ１９が８０００〜１２０００Ｋの色温度を有して５０７〜５５５ｎｍにピーク波長を含むために、直下よりも外周側の暗闇側の範囲θ２に、青色および緑色が豊富な光がそれぞれ照射される。
そのため、ＬＥＤ照明器具１０は、プルキンエ現象を利用して、照射範囲θ１，θ２の全体において寒々しい雰囲気にならない。
【００２５】
以上、説明したように第１実施形態のＬＥＤ照明器具１０によれば、第２ＬＥＤ１９が５０７〜５５５ｎｍにピーク波長を含み、第１ＬＥＤ１８が第２ＬＥＤ１９よりも高い波長を有し、第２ＬＥＤ１９よりも色温度が低い。
従って、第１実施形態のＬＥＤ照明器具１０によれば、照射範囲θ１，θ２の全体において寒々しい雰囲気にならないようにできる。
【００２６】
また、第１実施形態のＬＥＤ照明器具１０によれば、第２ＬＥＤ１９の色温度が８０００〜１２０００Ｋであって、第１ＬＥＤ１８の色温度が４０００〜５５００Ｋであるために、スペクトルを適宜変更することによりプルキンエ現象に適応できる。
【００２７】
そして、第１実施形態のＬＥＤ照明器具１０によれば、第１ＬＥＤユニット１３および一対の第２ＬＥＤユニット１４が、単一の固定部材１２に一括的に取り付けられるために、取付時の作業性を良好にできる。
【００２８】
（第２実施形態）
次に、本発明に係る第２実施形態のＬＥＤ照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２９】
図２に示すように、本発明に係る第２実施形態のＬＥＤ照明器具３０は、台形の固定部材３１を備えており、固定部材３１の中央の底部下面３２に第１ＬＥＤユニット１３が取り付けられ、固定部材３１の傾斜側面３３に一対の第２ＬＥＤユニット１４が取り付けられる。
そのため、第１ＬＥＤユニット１３の第１ＬＥＤ１８が直下付近を照射し、一対の第２ＬＥＤユニット１４の第２ＬＥＤ１９が固定部材３１の傾斜側面３３により直下よりも外周側を照射することになる。
なお、固定部材３１は、コ字形状に屈曲させた板部材を用いることもできる。
【００３０】
第２実施形態のＬＥＤ照明器具３０によれば、設置場所に応じて、固定部材３１の傾斜側面３３の傾斜角度を適宜変更しておくことにより、照射範囲を狭めたり、あるいは、拡げたりできる。
【００３１】
なお、本発明のＬＥＤ照明器具において器具本体，ＬＥＤ基板，支柱等は、前述した各実施形態に限定されるものでなく、適宜な変形や改良等が可能である。
【符号の説明】
【００３２】
１０，３０  ＬＥＤ照明器具
１２，３１  固定部材（構造部材）
１７  ＬＥＤ基板（基板）
１８  第１ＬＥＤ
１９  第２ＬＥＤ
【図１】
0005903594.tif 000002
【図２】
0005903594.tif 000003